(57)【特許請求の範囲】
【請求項１】
ローターが取り付けられて回転運動するローターハウジングと、
前記ローターハウジングの回転力を伝えて洗濯槽又は洗濯翼を回転させる駆動軸と、
前記ローターハウジングに結合されると共に前記駆動軸が貫通結合されて前記ローターハウジングの回転力を前記駆動軸に伝えるブラケットと、
前記ローターハウジングに結合され、前記駆動軸が貫通して摺動するローターブッシングと、
前記ローターハウジングから前記駆動軸に動力が伝えられる経路上に少なくとも一つ以上取り付けられ、前記ローターハウジングの振動を吸収する第１吸振部材と、
を含んでいることを特徴とする洗濯機。
【請求項２】
前記駆動軸に結合され、前記駆動軸の回転力を前記洗濯槽に選択的に伝える動力断続部材を更に含んでいることを特徴とする請求項１に記載の洗濯機。
【請求項３】
ローターが取り付けられて回転運動するローターハウジングと、
前記ローターハウジングの回転力を伝えて洗濯槽を回転させる中空の脱水軸と、
前記脱水軸の内部に取り付けられて前記ローターハウジングの回転力を伝えて洗濯翼を回転させる洗濯軸と、
前記ローターハウジングに結合され、前記洗濯軸が貫通して摺動するローターブッシングと、
前記ローターハウジングに結合されると共に前記洗濯軸が貫通結合されて前記ローターハウジングの回転力を前記洗濯軸に伝えるブラケットと、
前記洗濯軸が貫通結合され、前記脱水軸と選択的に結合され前記洗濯軸の回転力を前記脱水軸に伝える動力断続部材と、
前記脱水軸の外周面と前記動力断続部材の外周面に沿って昇降運動しながら前記脱水軸と前記動力断続部材を選択的に拘束するカップリングと、また、
前記ローターハウジングから前記洗濯軸又は前記脱水軸に動力が伝えられる経路上に少なくとも１つ以上取り付けられて前記ローターハウジングの振動を吸収する第１吸振部材と、
を含んでいることを特徴とする洗濯機。
【請求項４】
前記第１吸振部材は前記ローターハウジングと前記ブラケットの間に取り付けられることを特徴とする請求項１又は３に記載の洗濯機。
【請求項５】
前記ローターブッシング及び前記ブラケットを前記ローターハウジングに固定させると共に前記第１吸振部材を固定する締結部材を更に含んでいることを特徴とする請求項４に記載の洗濯機。
【請求項６】
前記締結部材は、
前記ローターブッシングに挿入固定される一端と前記ブラケットを貫通しながら前記第１吸振部材を固定する他端とを有する本体と、
前記本体より大きい直径を有し、前記一端と他端との間に形成されてブラケットが前記ローターハウジングに接触することを防止するフランジ部と
を含んでいることを特徴とする請求項５に記載の洗濯機。
【請求項７】
前記第１吸振部材は前記本体の外周面を囲む円筒形に前記ブラケットに挿入され、前記フランジと前記ブラケットとが接触することを防止するヘッド部を有することを特徴とする請求項６に記載の洗濯機。
【請求項８】
前記ローターブッシングと前記動力断続部材との間に取り付けられる第２の吸振部材をさらに含む、ことを特徴とする請求項２又は３に記載の洗濯機。
【請求項９】
前記第２の吸振部材は前記駆動軸又は前記洗濯軸が貫通する環状シートであることを特徴とする請求項８に記載の洗濯機。
【請求項１０】
前記第１の吸振部材は伸縮性のある材質からなり、前記第２の吸振部材も伸縮性のある材質からなっている、ことを特徴とする請求項８に記載の洗濯機。
【発明の詳細な説明】
【０００１】
【発明の属する技術分野】
本発明は、洗濯機に関するもので、特に、駆動部の振動が他の部分に伝えられることを防止する防振構造を有することで振動及び騒音の発生が最小化できる洗濯機に関する。
【０００２】
【従来の技術】
一般に、洗濯機は洗濯水の摩擦作用と洗剤の柔和作用などによって洗濯物を洗濯する製品として、洗濯機の洗濯過程は通常洗濯、濯ぎ、脱水過程からなされる。
【０００３】
かかる洗濯機は外型を成しているキャビネットの内部に洗濯水を収容する外槽が固設され、前記外槽内部に洗濯物を収容する洗濯槽が回転可能に取り付けられ、前記外槽の下部に洗濯槽を回転させる駆動部が取り付けられる。
【０００４】
以下、従来洗濯機の駆動部に関して図４及び図５を参照して説明する。
【０００５】
図４は従来の洗濯機の駆動部の構造を示した断面図であり、図５は図４のＩ−Ｉ線による断面図である。
図４に示すように、外槽１の下端に前記外槽１を支持するタブベース２が取り付けられ、前記タブベース２の下部にベアリングハウジング１０が取り付けられる。
前記ベアリングハウジング１０の下部にステーター３が取り付けられ、前記ステーター３の外側にローター５が回転自在に取り付けられ、前記ローター５はローターハウジング５０に固定される。前記ローター５はステーター３と所定間隔を維持し、前記間隔はほぼ０．５ｍｍ程度が一般的である。即ち、図４に示すように、駆動部はアウットローター形誘導電動機である。
【０００６】
前記ベアリングハウジング１０の内部に脱水軸２０が回転自在に取り付けられる。前記脱水軸２０の内部に減速機４０が取り付けられ、前記減速機４０の上部に上部洗濯軸３３が連結され、前記減速機４０の下部に下部洗濯軸３１が連結される。この時前記脱水軸２０の上端は洗濯槽（図示せず）に結合され、前記上部洗濯軸３３の上端は洗濯翼（図示せず）に結合される。
【０００７】
前記ローターハウジング５０の中心部にローターブッシング６０が結合され、前記下部洗濯軸３１の下端部が前記ローターブッシング６０を貫通して結合される。前記ローターブッシング６０は多数の締結ボルト６５によってローターハウジング５０に固定される。
【０００８】
前記下部洗濯軸３１の回転力を前記脱水軸２０に伝えるために、前記脱水軸２０の外周面及びローターブッシング６０の外周面にカップリング７０が取り付けられる。前記カップリング７０の位置によって前記脱水軸２０はローターブッシング６０に選択的に結合され、結合時下部洗濯軸３１の回転力が前記脱水軸２０に伝えられる。
【０００９】
図５に示すように、前記ローターブッシング６０の内周面に多角形の断面を有する結合部６１が形成される。前記結合部６１は下部洗濯軸３１の外周面に結合され、前記ローターハウジング５０の回転力を下部洗濯軸３１に伝える。また、前記ローターブッシング６０の外周面にセレーション部６３が形成される。前記セレーション部６３を介してカップリング７０が昇降し、前記カップリング７０の位置によって下部洗濯軸３１と脱水軸２０は結合又は分離される。
【００１０】
尚、図４に示すように、前記ベアリングハウジング１０と脱水軸２０との間及び前記脱水軸２０と洗濯軸３１、３３との間に多数のベアリング１１、１３が取り付けられる。
しかしながら、従来の洗濯機の駆動部は次のような問題を有している。即ち、前記ローター５は回転体であるので常時ある程度の振動を発する。ところで、前記ローターハウジング５０がローターブッシング６０を介して洗濯軸３１、３３又は脱水軸２０に直接結合されているので前記ローター５０の振動は洗濯軸３１、３３と脱水軸２０に濾過せず伝えられる。この場合前記ローター５の振動は洗濯槽や外槽１に伝えられて相当な騒音を起こしていた。
【００１１】
特に前記ローター５は一定回転数で運転するのではなく、一定範囲内で回転数が変化されながら運転される。かかる回転数の変化によって前記洗濯軸３１、３３や脱水軸２０が揺れるリップル現象が発生されていた。
例えば、前記ローター２０が８５０ｒｐｍに回転されるように設定されると、実際前記ローター５はほぼ８４０〜８６０ｒｐｍの範囲内で回転する。この時前記リップル現象は一つの振動源として前記洗濯槽や外槽１にそのまま伝えられて運転中、規則的な騒音を起こしていた。
【００１２】
【発明が解決しようとする課題】
本発明は、上記従来技術の問題点を解決するためのもので、駆動部の振動が他の部分に伝えられることを遮断することで振動及び騒音発生を最小化できる駆動部防振構造を有する洗濯機を提供することを目的とする。
【００１３】
【課題を解決するための手段】
上記目的を達成するための本発明は、ローターが取り付けられて回転運動するローターハウジングと、前記ローターハウジングの回転力を伝えて洗濯槽又は洗濯翼を回転させる駆動軸と、前記ローターハウジングに結合されると共に前記駆動軸が貫通結合されて前記ローターハウジングの回転力を前記駆動軸に伝えるブラケットと、前記ローターハウジングに結合され、前記駆動軸が貫通して摺動するローターブッシングと、前記ローターハウジングから前記駆動軸に動力が伝えられる経路上に少なくとも一つ以上取り付けられ、前記ローターハウジングの振動を吸収する吸振部材とを含んでいることを特徴とする。
【００１４】
また、前記駆動軸に結合され、前記駆動軸の回転力を前記洗濯槽に選択的に伝える動力断続部材を更に含んでいることが望ましい。
【００１５】
尚、本発明の他の実施形態によると、ローターが取り付けられて回転運動するローターハウジングと、前記ローターハウジングの回転力を伝えて洗濯槽を回転させる中空の脱水軸と、前記脱水軸の内部に取り付けられて前記ローターハウジングの回転力を伝えて洗濯翼を回転させる洗濯軸と、前記ローターハウジングに結合され、前記洗濯軸が貫通して摺動するローターブッシングと、前記ローターハウジングに結合されると共に前記洗濯軸が貫通結合されて前記ローターハウジングの回転力を前記洗濯軸に伝えるブラケットと、前記洗濯軸が貫通結合され、前記脱水軸と選択的に結合され前記洗濯軸の回転力を前記脱水軸に伝える動力断続部材と、前記脱水軸の外周面と前記動力断続部材の外周面に沿って昇降運動しながら前記脱水軸と前記動力断続部材を選択的に拘束するカップリングと、また、前記ローターハウジングから前記洗濯軸又は前記脱水軸に動力が伝えられる経路上に少なくとも一つ以上取り付けられて前記ローターハウジングの振動を吸収する吸振部材とを含んでいることを特徴とする。
【００１６】
前記吸振部材は前記ローターハウジングと前記ブラケットの間に取り付けられることが望ましい。
前記ローターブッシング及び前記ブラケットを前記ローターハウジングに固定させると共に前記吸振部材を固定する締結部材を更に含んでいることが望ましい。
【００１７】
前記締結部材は、前記ローターブッシングに挿入固定される一端と前記ブラケットを貫通しながら前記吸振部材を固定する他端とを有する本体と、前記本体より大きい直径を有し、前記一端と他端との間に形成されてブラケットが前記ローターハウジングに接触することを防止するフランジ部とを含んでいることが望ましい。
【００１８】
前記吸振部材は前記本体の外周面を囲む円筒形に前記ブラケットに挿入され、前記フランジと前記ブラケットとが接触することを防止するヘッド部を有することが望ましく、また、吸振部材は前記ローターブッシングと前記動力断続部材との間に取り付けられることが望ましく、前記駆動軸又は前記洗濯軸が貫通する環状シートで伸縮性のある材質からなっていることが望ましい。
【００１９】
従って、本発明によるよると、前記駆動軸は従来のようにローターブッシングに直接結合されるものではなく、但し前記ローターブッシングを貫通するだけで、前記ブラケットを介してローターハウジングに結合される。この時前記ブラケットとローターハウジングとの間に吸振部材が取り付けられることによって前記ローターの振動は駆動軸に伝えられる前に前記吸振部材によって吸収される。従って、前記駆動軸を介して洗濯槽や外槽が振動することが防止でき、これは騒音発生までも防止する。
【００２０】
【発明の実施の形態】
以下、添付の図面を参照して本発明を更に詳細に説明する。
図１は本発明の望ましい実施形態による洗濯機の駆動部の構造を示す断面図であって、図２は図１による駆動部中、主要構成要素を示す分解斜視図である。
図３は本発明の望ましい実施形態による洗濯機の駆動部の構造を示す断面図であって、脱水行程時の状態を示す図である。
【００２１】
先ず、図１に示すように、外槽１の下端に前記外槽１を支持するタブベース２が設置され、前記タブベース２の下部にベアリングハウジング１０が取り付けられる。
前記ベアリングハウジング１０の下部にステーター３が取り付けられ、前記ステーター３の外側にローター５が回転自在に取り付けられ、前記ローター５はローターハウジング５０に固定される。従って、前記ローターハウジング５０はローター５によって回転運動する。前記ローター５はステーター３と所定間隔を維持し、前記間隔はほぼ０．５ｍｍ程度が一般的である。
【００２２】
前記ベアリングハウジング１０の内部を駆動軸が貫通する。前記駆動軸は中空の脱水軸２０と、前記脱水軸２０の内部に回転可能に取り付けられる洗濯軸３１、３３から構成される。この時前記ベアリングハウジング１０と脱水軸２０との間に上下二つのベアリング１１が取り付けられ、前記脱水軸２０と洗濯軸３１、３３との間にも多数のベアリング１３が取り付けられる。図示はないが、前記脱水軸２０の上端には洗濯槽が結合され前記洗濯軸３３の上端には洗濯翼が結合される。
【００２３】
前記脱水軸２０の内部に適切な減速比を有する減速機４０が取り付けられる。この時前記洗濯軸は減速機４０を中心に上部洗濯軸３３と下部洗濯軸３１とに分けられる。前記減速機４０は線ギア４１と多数の遊星ギア４２及び脱水軸２０の内壁に形成される外輪ギア４３とから構成され、前記下部洗濯軸３１の回転数を適切に減速して上部洗濯軸３３に伝える。
【００２４】
前記ローターハウジング５０の回転中心部の上部にローターブッシング１１０が取り付けられ、前記ローターブッシング１１０の下部にブラケット１２０が取り付けられる。前記下部洗濯軸３１は前記ローターブッシング１１０とブラケット１２０の中心部を貫通する。この時前記下部洗濯軸３１はローターブッシング１１０を貫通するだけで互いに結合しない。従って、前記下部洗濯軸３１はローターブッシング１１０に対して摺動するだけである。また、前記ブラケット１２０はローターハウジング５０の回転力を前記下部洗濯軸３１に伝える動力伝達部材である。このために前記ブラケット１２０はローターハウジング５０に結合されると共に前記下部洗濯軸３１にも結合される。また、前記ローターブッシング１１０とブラケット１２０は多数の締結部材１６０によって前記ローターハウジング５０に固定される。ここで従来は前記ブラケット１２０とローターブッシング１１０が一つの部材から構成されているが、本発明は分離可能な二つの部材から構成される。これは後述するように振動の伝達を最小化するための構造である。
【００２５】
前記ローターブッシング１１０の上部に動力断続部材１３０が取り付けられる。前記動力断続部材１３０は下部洗濯軸３１の回転力を前記脱水軸２０に選択的に伝えるための部材である。このために、前記動力断続部材１３０の中心部を介して洗濯軸３１が貫通し、前記動力断続部材１３０と下部洗濯軸３１は互いに結合される。ここで、従来は前記動力断続部材１３０とローターブッシング１１０は一つの部材であったが、本発明は分離可能な二つの部材である。これは後述するように振動の伝達を最小化するための構造である。
【００２６】
前記脱水軸２０の外周面にカップリング７０が取り付けられる。前記カップリング７０は脱水軸２０の外周面と動力断続部材１３０の外周面に沿って昇降運動しながら、前記脱水軸２０を動力断続部材１３０に選択的に拘束する。このために、前記脱水軸２０の外周面にセレーション部２１が形成され、前記カップリング７０の内周面にもセレーション部が形成される。この時前記カップリング７０に突起部７１が形成され、前記ベアリングハウジング１０に挿入溝１５が形成される。即ち、前記カップリング７０が上昇するとき、前記突起部７１は挿入溝１５に挿入固定される。
【００２７】
尚、前記ローター５で発生する振動が洗濯槽や外槽１に伝えられることを遮断するために前記ローターハウジング５０から前記洗濯軸３１、３３又は前記脱水軸２０に動力が伝えられる経路上に少なくとも一つ以上の吸振部材１４０、１５０が取り付けられる。この時前記吸振部材はローターハウジング５０とブラケット１２０の間に取り付けられる第１吸振部材１４０と、前記ローターブッシング５０と動力断続部材１３０との間に取り付けられる第２吸振部材１５０から構成される。前記第１吸振部材１４０はローターハウジング５０の振動を吸収することで前記下部洗濯軸３１に振動が伝えられることを遮断する。また、前記第２吸振部材１５０はローターハウジング５０と共に回転するローターブッシング１１０の振動を吸収することで前記脱水軸２０に振動が伝えられることを遮断する。
【００２８】
以下、前記下部洗濯軸３１からブラケット１２０まで各構成要素の結合関係を具体的に説明すると次のようである。
図２に示すように、前記下部洗濯軸３１は多角形断面、ほぼ六角形断面を有する第１結合部３１ａと、前記第１結合部３１ａの下端にネジ山が形成されている第２結合部３１ｂを有する。前記第１結合部３１ａは動力断続部材１３０、第２吸振部材１５０，ローターブッシング１１０及びブラケット１２０を順次貫通する。また、前記下部洗濯軸３１は第２結合部材３１ｂにナット３５が締結されることによって前記ブラケット１２０に固定される。
【００２９】
前記動力断続部材１３０は脱水軸２０の外径と同様な外径を有する環状部材として、その中心部に結合ホール１３１が形成される。前記動力断続部材１３０は結合ホール１３１を介して前記下部洗濯軸３１に結合される。このために結合ホール１３１は下部洗濯軸３１の第１結合部３１ａに対応する多角面を有する。この時、前記下部洗濯軸３１の第１結合部３１ａと前記動力断続部材１３０の結合ホール１３１に各々互いに係合されるセレーション部が形成されても良い。
また、前記動力断続部材１３０の外周面にセレーション部１３３が形成される。前記動力断続部材１３０のセレーション部１３３はカップリング７０の内周面に形成されるセレーション部に選択的に結合される。
【００３０】
即ち、前記カップリング７０は脱水軸２０のセレーション部２１及び動力断続部材１３０のセレーション部１３３に沿って昇降運動する。
前記第２吸振部材１５０は環状シートとして、その中心部に下部洗濯軸３１の第１結合部３１ａが貫通する貫通孔１５１が形成される。
前記ローターブッシング１１０はその中心部に貫通ホール１１１を有する。前記下部洗濯軸３１の第１結合部３１ａは前記ローターブッシング１１０の貫通ホール１１１を貫通する。しかしながら、前記第１結合部３１ａは貫通ホール１１に結合しない。従って、前記下部洗濯軸３１とローターブッシング１１０は互いに摺動だけが可能であり、相手の回転の影響を及ぼすことはない。また、ローターブッシング１１０の底面に円形に安着ホーム１１３が形成される（図１参照）。
【００３１】
前記ブラケット１２０はその中心部に結合ホール１２１を有する。前記下部洗濯軸３１は結合ホール１２１を貫通して前記ブラケット１２０に結合される。このために前記ブラケット１２０の結合ホール１２１は下部洗濯軸３１の第１結合部３１ａに対応する多角面を有する。
【００３２】
この時前記下部洗濯軸３１の第１結合部３１ａと前記ブラケット１２０の結合ホール１２１に各々互いに形合されるセレーション部が形成されても良い。また、前記ブラケット１２０は中心部に突出された円形安着部１２３を有する。前記安着部１２３はローターブッシング１１０の安着ホーム１１３に挿入される。この時前記安着部１２３は安着ホーム１１３に接触されない状態を維持する。
【００３３】
前記のように前記ローターブッシング１１０とブラケット１２０は締結部材１６０によって前記ローターハウジング５０にしっかりと固定される。このために前記ローターブッシング１１０に多数の締結ホール１１５が形成され、前記ブラケット１２０に多数の挿入ホール１２５が形成される。前記締結ホール１１５と挿入ホール１２５は互いに反対位置に形成される。
【００３４】
前記締結部材１６０はローターブッシング１１０とブラケット１２０に挿入される本体１６１、１６３と前記本体より大きい直径のフランジ部１６５からなる。前記本体は締結ホール１１５に挿入固定される第１締結部１６１と、前記挿入ホール１２５に挿入される第２締結部１６３を有する。前記第１締結部１６１の外周面には締結ホール１１５に係合されるネジ山が形成される。従って、第１締結部１６１はローターハウジング５０を貫通して前記締結ホール１１５に結合される。前記第２締結部１６３は挿入ホール１２５を貫通しながら第１吸振部材１４０を固定する。また、前記フランジ部１６５は第１締結部１６１と第２締結部１６３との間に形成され、前記ブラケット１２０がローターハウジング５０に直接接触されることを防止する。
【００３５】
前記第１吸振部材１４０はブラケット１２０の挿入ホール１２５に挿入固定される。前記第１吸振部材１４０は第２締結部１６３の外周面を囲む中空円筒形に、その内部に前記第２締結部１６３が挿入され、その結果前記ブラケット１２０にしっかりと固定される。この時前記第１吸振部材１４０は上端にヘッド部１４１を有する。前記ヘッド部１４１はフランジ部１６５とブラケット１２０とが直接接触することを防止する。
【００３６】
尚、前記第１吸振部材１４０及び第２吸振部材１５０はゴムのように伸縮性のある材質から作られるのが望ましい。
要するに、前記第１吸振部材１４０はローターハウジング５０とブラケット１２０の間に取り付けられて前記ローターハウジング５０の振動を吸収する。従って、前記ローターハウジング５０の振動がブラケット１２０に伝えられることが防止される。これは前記ローターハウジング５０の振動が下部洗濯軸３１に伝えられないことを意味する。また、前記第２吸振部材１５０はローターブッシング１１０と動力断続部材１３０との間に取り付けられて、前記ローターブッシング１１０の振動を吸収する。従って、前記ローターブッシング１１０の振動が動力断続部材１３０に伝えられるのが防止される。これは前記ローターブッシング１１０の振動が脱水軸２０に伝えられないことを意味する。
【００３７】
本発明による洗濯機の作用を説明すると次のようである。
先ず図１は洗濯行程時の状態を示すもので、前記カップリング７０がクラッチアセンブリーのような昇降誘導部材の助けで上昇する。この時前記カップリング７０は突起部７１がベアリングハウジング１０の挿入溝１５に挿入されるまで脱水軸２０の外周面に沿って上昇する。その結果前記脱水軸２０は動力断続部材１３０から分離される。
【００３８】
この状態で前記ローター５とステーター３の相互作用で前記ローターハウジング５０が回転する。前記ローターハウジング５０の回転力はローターブッシング１１０に伝えられると共に締結部材１６０を経てブラケット１２０にも伝えられる。この過程中前記ローターハウジング５０の振動は第１吸振部材１４０によって減殺される。また、前記ローターブッシング１１０の振動は第２吸振部材１５０によって減殺される。
【００３９】
以降前記ローターハウジング５０の回転力は下部洗濯軸３１、減速機４０、及び上部洗濯軸３３に伝えられる。該過程において、前記下部洗濯軸３１の回転数は減速機４０を介して適切に減速した後、前記上部洗濯軸３３に伝えられる。従って、前記上部洗濯軸３３は洗濯翼を低速で回転させ、その結果洗濯槽内部に水流が生成される。
【００４０】
図３は脱水行程時の状態を示すもので、前記カップリング７０が自重によって又はクラッチアセンブリーの助けで下降する。この時前記カップリング７０は脱水軸２０の外周面及び動力断続部材１３０の外周面に沿って下降して前記脱水軸２０と動力断続部材１３０とを同時に拘束する。
該状態で前記ローターハウジング５０の回転力はローターブッシング１１０に伝えられると共に締結部材１６０を経てブラケット１２０にも伝える。該過程の中前記ローターハウジング５０の振動は第１吸振部材１４０によって減殺される。また、前記ローターブッシング１１０の振動は第２吸振部材１５０によって減殺される。
【００４１】
以降前記ローターハウジング５０の回転力は下部洗濯軸３１に伝えられ、引き続き前記動力断続部材１３０及びカップリング７０を経て脱水軸２０に伝える。従って、前記脱水軸２０は下部洗濯軸３１及び上部洗濯軸３３と同一の速度で回転する。従って、前記洗濯槽が高速で回転し、その結果遠心力によって洗濯水が取り除かれる。
尚、前記実施形態は洗濯軸３１、３３と脱水軸２０をすべて有する洗濯機の駆動部の防振構造に関して説明しているが、駆動部の回転速度を制御することで一つの駆動軸に洗濯と脱水をすべて行う洗濯機にも適用できる。
【００４２】
以上本発明の好適な一実施形態に対して説明したが、前記実施形態のものに限定されるわけではなく、本発明の技術思想に基づいて種々の変形又は変更が可能である。
【００４３】
【発明の効果】
以上説明したように、本発明の洗濯機によると、次のような効果がある。
駆動部の動力が洗濯槽又は外槽に伝えられる経路上に少なくとも一つ以上の吸振部材を備えることで前記駆動部の振動が吸収できる。従って、前記駆動部の振動特にリップル現象による振動が洗濯槽や外槽に伝えられることを遮断することによって全体的にセット騒音を相当減らすことができる。
【図面の簡単な説明】
【図１】本発明の望ましい実施形態による洗濯機の駆動部の構造を示す断面図であって、洗濯行程時の状態を示す図である。
【図２】図１による駆動部中、主要構成要素を示す分解斜視図である。
【図３】本発明の望ましい実施形態による洗濯機の駆動部の構造を示す断面図であって、脱水行程時の状態を示す図である。
【図４】従来洗濯機の駆動部の構造を示す断面図である。
【図５】図４のＩ−Ｉ線による断面図である。
【符号の説明】
１…外槽
２…タブベース
１０…ベアリングハウジング
２０…脱水軸
３１…下部洗濯軸
３３…上部洗濯軸
４０…減速機
５０…ローターハウジング
７０…カップリング
１１０…ローターブッシング
１２０…ブラケット
１３０…動力断続部材
１４０…第１吸振部材
１５０…第２吸振部材
１６０…締結部材
【図１】
0004275923.tif 000002
【図２】
0004275923.tif 000003
【図３】
0004275923.tif 000004
【図４】
0004275923.tif 000005
【図５】
0004275923.tif 000006